(57)【要約】  間欠受信（DRX）配置方法を開示しており、複数のコンポーネントキャリアに間欠受信を配置し、1つ或は複数のコンポーネントキャリアをプライマリコンポーネントキャリア（101）とし、上記プライマリコンポーネントキャリアによって、他の非プライマリコンポーネントキャリアのDRX（102）を制御することが含まれる。間欠受信（DRX）配置システムを更に開示し、複数のコンポーネントキャリアにDRXを配置することに用いられ、且つプライマリコンポーネントキャリアとして1つ或は複数のコンポーネントキャリアを選択することに用いられる選択及配置ユニットと、上記プライマリコンポーネントキャリアによって、他の関連する非プライマリコンポーネントキャリアのDRXを制御することに用いられる制御ユニットとが含まれる。このシステムと方法はプライマリキャリアに基づいたDRX方案を明確化し、構想段階にあるプライマリキャリアに基づいたDRX配置案を完璧化し、具体的に実現させる。【選択図】          図２
2013506357.tif 000002
【特許請求の範囲】
【請求項１】
間欠受信方法であって、複数のコンポーネントキャリアに間欠受信（DRX）を配置し、1つ或は複数のコンポーネントキャリアをプライマリコンポーネントキャリアとし、前記プライマリコンポーネントキャリアによって、他の非プライマリコンポーネントキャリアのDRXを決定することが含まれることを特徴とする。
【請求項２】
前記プライマリコンポーネントキャリアはDRX状態を含み、記非プライマリコンポーネントキャリアはDRX状態と休眠状態を含み、
前記休眠状態は、コンポーネントキャリアの閉状態或は非アクティブな状態であり、開けた或はアクティブした後、休眠状態からDRX状態に入ることができ、休眠状態のコンポーネントキャリアはスケジューリングされることができなく、休眠状態のコンポーネントキャリアはデータの受発信に用いないことを特徴とする請求項1に記載の方法。
【請求項３】
プライマリコンポーネントキャリアとセルとの関係を配置することが更に含まれ、前記配置は前記プライマリコンポーネントキャリアが無線リソース制御プロトコル（RRC）の接続した状態でのサービスセル或はメインサービスセルと関連することが具体的に含まれることを特徴とする請求項1に記載の方法。
【請求項４】
前記プライマリコンポーネントキャリアによって前記非プライマリコンポーネントキャリアのDRXを決定することはプライマリコンポーネントキャリアが制御シグナリング或は事前設定条件によって、非プライマリコンポーネントキャリアのDRXを決定することを具体的に含むことを特徴とする請求項1に記載の方法。
【請求項５】
前記非プライマリコンポーネントキャリアはプライマリコンポーネントキャリアのDRX配置或はDRX行為によって、現行非プライマリコンポーネントキャリアのDRX配置或はDRX行為を決定することを特徴とする請求項4に記載の方法。
【請求項６】
現行非プライマリコンポーネントキャリアが事前設定条件によってDRX状態から休眠状態へ遷移し、その中に、事前設定条件は業務の活動状況を具体的に含むことを特徴とする請求項5に記載の方法。
【請求項７】
前記プライマリコンポーネントキャリアが増強基地局（eNB）からの制御シグナリングを非プライマリコンポーネントキャリアに発送することで、非プライマリコンポーネントキャリアDRXの制御を実現することを特徴とする請求項4に記載の方法。
【請求項８】
前記プライマリコンポーネントキャリアが短DRXサイクルにある時、前記非プライマリコンポーネントキャリアが短DRXサイクル或は長DRXサイクル或は休眠状態にあり、前記プライマリコンポーネントキャリアが長DRXサイクルにあるとき、前記非プライマリコンポーネントキャリアが長DRXサイクル或は休眠状態にあることを特徴とする請求項4〜７のいずれかに記載の方法。
【請求項９】
この方法は、前記非プライマリコンポーネントキャリアのタイマーを更に配置し、前記配置は、非プライマリコンポーネントキャリアが独立するDRX非活動時間タイマーを更に配置しなく、或は非プライマリコンポーネントキャリアが独立するDRX非活動時間タイマーを配置しなく、或は非プライマリコンポーネントキャリアが独立する持続時間タイマーを更に配置しないことを含み、
その中に、前記非プライマリコンポーネントキャリアが独立するDRX非活動時間タイマーを配置しない場合に、プライマリコンポーネントキャリアにおけるDRX非活動時間タイマーを起動する或は再起動すると、非プライマリコンポーネントキャリアが相応にその活動状態の時間を延長し、プライマリコンポーネントキャリアと一致させ、
前記非プライマリコンポーネントキャリアは独立する持続時間タイマーを配置しない場合に、非プライマリコンポーネントキャリアがプライマリコンポーネントキャリアのPDCCHシグナリング或は持続時間タイマーによって、起動し、DRX活動状態に入り、プライマリコンポーネントキャリアのDRX非活動タイマーがタイムアウトする或は持続時間タイマーがタイムアウトすると、自動的にDRX非活動状態或は休眠状態に入ることを特徴とする請求項１に記載の方法。
【請求項１０】
各々非プライマリコンポーネントキャリアのDRX配置は一致又は独立に保ち、各々非プライマリコンポーネントキャリアが持続時間タイマーを配置すると、前記持続時間タイマーの起動が位置するサブフレームは全部プライマリコンポーネントキャリアの持続時間タイマーの起動が位置するサブフレームと位置合わせることを特徴とする請求項１に記載の方法。
【請求項１１】
プライマリコンポーネントキャリアのDRX行為はLTEシステムにおけるDRX行為と原則に更に従う必要があり、非プライマリコンポーネントキャリアのDRX行為は部分又は全部LTEシステムにおけるDRX行為と原則を更に従って、且つプライマリコンポーネントキャリアの制御シグナリングを受信し、制御シグナリングによって、相応なDRX行為を実行し、或は非プライマリコンポーネントキャリアはプライマリコンポーネントキャリアのDRX配置と行為によって、一致するDRX行為を実行し、或は非プライマリコンポーネントキャリアはプライマリコンポーネントキャリアのDRX配置と行為によって、事前設定条件に応じて、相応なDRX行為を実行することを特徴とする請求項5に記載の方法。
【請求項１２】
プライマリコンポーネントキャリアと非プライマリコンポーネントキャリアの前記DRX状態は活動状態と非活動状態を含むことを特徴とする請求項2に記載の方法。
【請求項１３】
プライマリコンポーネントキャリアの前記DRX状態は長DRXサイクルをサポートするように配置され、短DRXサイクルをサポートする或はサポートしないことを選択でき、非プライマリコンポーネントキャリアが長DRXサイクルをサポートする或はサポートしないように配置することが選択でき、長DRXサイクルをサポートしないと配置すると、前記プライマリコンポーネントキャリアの制御シグナリングによって、そのDRX状態が活動状態又は非活動状態と決定し、その中に、
プライマリコンポーネントキャリアと非プライマリコンポーネントキャリアの前記DRX状態が短DRXサイクルをサポートするように配置されると、前記長DRXサイクルと前記短DRXサイクルとの間の相互遷移操作をサポートすることを特徴とする請求項12に記載の方法。
【請求項１４】
プライマリコンポーネントキャリアとユーザー機器（UE）との関係を配置することが更に含まれ、前記配置は前記プライマリコンポーネントキャリアが現行UEと対応し、現行UEに対応するプライマリコンポーネントキャリアが他のUEに対して、プライマリコンポーネントキャリア或は非プライマリコンポーネントキャリアに配置されることが具体的に含まれることを特徴とする請求項１に記載の方法。
【請求項１５】
プライマリコンポーネントキャリアとチャンネルとの関係を配置することが更に含まれ、前記配置はプライマリコンポーネントキャリアが下位互換性コンポーネントキャリア、或は非下位互換性コンポーネントキャリアとして、物理ダウンリンク制御 チャネル（PDCCH）を配置する必要があることを具体的に含まれ、
前記非プライマリコンポーネントキャリアとチャンネルとの配置関係は非プライマリコンポーネントキャリアが下位互換性コンポーネントキャリア、或は非下位互換性コンポーネントキャリア或は拡張コンポーネントキャリアとして、PDCCHを配置する或はPDCCHを配置しないことが具体的に含まれることを特徴とする請求項１に記載の方法。
【請求項１６】
現行非プライマリコンポーネントキャリアがPDCCHを配置しない時、更にプライマリコンポーネントキャリア、或は他のPDCCHが配置された非プライマリコンポーネントキャリアのPDCCHによって、現行のPDCCHを配置しない非プライマリコンポーネントキャリアのダウンリンクリソース分配或はアップリンク許可を指示することを特徴とする請求項15に記載の方法。
【請求項１７】
前記制御シグナリングはメディアアクセス制御元素（MAC CE）又はPDCCHシグナリング又はRRCシグナリングを具体的に含め、前記非プライマリコンポーネントキャリアが前記プライマリコンポーネントキャリアからeNB制御シグナリングを受信する方式は、
プライマリコンポーネントキャリア上におけるPDCCH、或は現行非プライマリコンポーネントキャリアに配置されたPDCCH、或は他の非プライマリコンポーネントキャリアに配置されたPDCCHによって、受信し、或は、
プライマリコンポーネントキャリアが受信したMAC CE、或は現行非プライマリコンポーネントキャリアが受信したMAC CEによって、受信することが更に含まれることを特徴とする請求項7に記載の方法。
【請求項１８】
前記制御シグナリングはMAC CE又はPDCCHシグナリング又はRRCシグナリングを具体的に含め、短DRXサイクルと長DRXサイクルとの間を互いに遷移する状態が遷移するシーンの下で、
この方法は前記eNBが前記プライマリコンポーネントキャリアで発送するMAC CEにおいて、前記状態の遷移をトリガーすることを更に含み、プライマリコンポーネントキャリアはeNBが発送したMAC CEによって、現行非プライマリコンポーネントキャリアが短DRXサイクルから長DRXサイクルに遷移するように通知し、或はプライマリコンポーネントキャリアはeNBが発送するMAC CEによって、現行非プライマリコンポーネントキャリアが長DRXサイクルから短DRXサイクルに遷移するように通知し、或は非プライマリコンポーネントキャリアが長DRXサイクルから短DRXサイクルへ遷移し、プライマリコンポーネントキャリアにおけるPDCCHが指示するダウンリンク分配、或はアップリンク許可によって、本コンポーネントキャリアのデータを受信或は発送する時、DRX非活動時間タイマーを起動し、DRX非活動時間タイマーがタイムアウトした後、短DRXサイクルに入ることが具体的に含まれ、
或は、前記eNBが前記非プライマリコンポーネントキャリアで発送するMAC CEにおいて、前記状態が遷移するようにトリガーすることが更に含まれ、eNBは現行非プライマリコンポーネントキャリアで発送するMAC CEにおいて、現行非プライマリコンポーネントキャリアが短DRXサイクルから長DRXサイクルへ遷移するように通知し、或はeNBが現行非プライマリコンポーネントキャリア発送するMAC CEにおいて、現行非プライマリコンポーネントキャリアが長DRXサイクルから短DRXサイクルへ遷移するように通知することが具体的に含まれることを特徴とする請求項7に記載の方法。
【請求項１９】
前記eNBが前記現行非プライマリコンポーネントキャリアの状態遷移をトリガーするように通知することは現行非プライマリコンポーネントキャリアがプライマリコンポーネントキャリア、或は現行非プライマリコンポーネントキャリアで発送するMAC CEによって短DRXサイクルと長DRXサイクルとの間の相互遷移を実現し、
或は現行非プライマリコンポーネントキャリアが事前設定条件によって短DRXサイクルと長DRXサイクルとの間の相互遷移を行い、この事前設定条件は業務の活動情况、或はプライマリコンポーネントキャリアにおけるDRX短サイクルタイマーがタイムアウトすることが具体的に含まれることを特徴とする請求項18に記載の方法。
【請求項２０】
前記制御シグナリングはMAC CE又はPDCCHシグナリング又はRRCシグナリングを具体的に含め、DRX状態から休眠状態へ遷移する状態が遷移するシーンの下で、
現行非プライマリコンポーネントキャリアがプライマリコンポーネントキャリア、或は現行非プライマリコンポーネントキャリアで発送するMAC CEによって、DRX状態から休眠状態へ遷移し、或はプライマリコンポーネントキャリア、或は現行非プライマリコンポーネントキャリアで発送するPDCCHシグナリングによって、DRX状態から休眠状態へ遷移し、或はRRC非アクティブなシグナリングによってDRX状態から休眠状態へ遷移することを特徴とする請求項7に記載の方法。
【請求項２１】
前記制御シグナリングはMAC CE又はPDCCHシグナリング又はRRCシグナリングを具体的に含め、休眠状態からDRX状態へ遷移する状態が遷移するシーンの下で、
現行非プライマリコンポーネントキャリアがプライマリコンポーネントキャリアで発送するPDCCHシグナリングによって、休眠状態からDRX状態へ遷移することが更に含まれることを特徴とする請求項7に記載の方法。
【請求項２２】
異なる用途のMAC CEがそれぞれ異なる論理チャンネル識別子を用いて指示し、その中に、
MAC CEの状態は長DRXサイクルに入り、短DRXサイクルに入り、或は休眠状態に入ることが含まれることを特徴とする請求17〜21の何れかに記載の方法。
【請求項２３】
前記非プライマリコンポーネントキャリアのタイマーを更に配置し、前記配置は、
非プライマリコンポーネントキャリアが独立するDRX非活動時間タイマーを更に配置し、
或は非プライマリコンポーネントキャリアが独立するDRX非活動時間タイマーと持続時間タイマーを更に配置し、
或は非プライマリコンポーネントキャリアが独立するDRX非活動時間タイマー或は持続時間タイマーを更に配置し、
或は非プライマリコンポーネントキャリアがDRX短サイクルタイマーを更に配置し、且つDRX短サイクルタイマーによって、DRXサイクル間の遷移シーンを制御し、
或は非プライマリコンポーネントキャリアがDRX短サイクルタイマーを更に配置しないが、短DRXサイクルと長DRXサイクル及びその相互な遷移をサポートできることを具体的に含むことを特徴とする請求項1に記載の方法。
【請求項２４】
前記非プライマリコンポーネントキャリアが前記独立するDRX非活動時間タイマーを配置する場合に、その他の部分或は全部DRX配置がプライマリコンポーネントキャリアのDRX配置に従い、
前記非プライマリコンポーネントキャリアが前記独立するDRX非活動時間タイマーと持続時間タイマーを配置する場合に、その他の部分或全部DRX配置がプライマリコンポーネントキャリアのDRX配置に従い、
前記非プライマリコンポーネントキャリアが前記独立するDRX非活動時間タイマー、或は持続時間タイマーを配置する場合に、DRX非活動時間タイマー或は持続時間タイマーの値はプライマリコンポーネントキャリアの相応なタイマーの値より小さく、或はプライマリコンポーネントキャリアの相応なタイマーの値に相当し、或はプライマリコンポーネントキャリアの相応なタイマーの値より大きくなることを特徴とする請求項23に記載の方法。
【請求項２５】
前記プライマリコンポーネントキャリアと各非プライマリコンポーネントキャリアが配置するDRX非活動時間タイマーはそれぞれ本コンポーネントキャリアのスケジューリング状況に応じて、独立に起動する或は再起動することを特徴とする請求項24に記載の方法。
【請求項２６】
非プライマリコンポーネントキャリアのDRX配置には再送タイマーとハイブリッド自動再送要求（HARQ）往復時間タイマーが含まれると、再送タイマーとHARQ往復時間タイマーとが各々のダウンリンクHARQプログラムにそれぞれ配置され、再送タイマーとHARQ往復時間タイマーの値はプライマリコンポーネントキャリアと対応するタイマーの値と一致する或は異なることを特徴とする請求項1に記載の方法。
【請求項２７】
UEとeNBとの間の相互のスケジューリング要求（SR）及び応答SRの過程が更に含まれ、
UEがeNBにSRを発送する時、任意の専用物理アップリンク制御チャンネル（PUCCH）リソースが配置されるコンポーネントキャリアで発送し、或はプライマリコンポーネントキャリアで発送し、
前記UEが前記SRを発送した後、少なくともアップリンク許可を受信する或はSRが最大回数に発送するまで、プライマリコンポーネントキャリアが活動状態に更に保ち、少なくともアップリンク許可を受信する或はSRが最大回数に発送するまで、全部のコンポーネントキャリアが活動状態に更に保ち、
前記eNBがUEの発送する前記SRを応答すると、更にプライマリコンポーネントキャリアに限り、アップリンク許可を発送し、或は任意の活動状態のコンポーネントキャリアにおいて、アップリンク許可を発送することが具体的に含まれることを特徴とする請求項7に記載の方法。
【請求項２８】
間欠受信配置システムであって、このシステムは配置ユニット、制御ユニットを含み、その中に、
配置ユニットは複数のコンポーネントキャリアにDRXを配置し、1つ或は複数のコンポーネントキャリアをプライマリコンポーネントキャリアとすることに用いられ、
制御ユニットは前記プライマリコンポーネントキャリアによって、関連する他の非プライマリコンポーネントキャリアのDRXを決定することに用いられる。
【請求項２９】
前記プライマリコンポーネントキャリアと前記非プライマリコンポーネントキャリアがしている状態を制御することに用いられる状態制御ユニットが更に含まれ、
その中に、前記プライマリコンポーネントキャリアがしている状態は具体的にDRX状態を含み、前記非プライマリコンポーネントキャリアがしている状態はDRX状態と休眠状態を具体的に含み、
前記休眠状態はコンポーネントキャリアの閉状態或は非アクティブな状態であり、開にした或るアクティブにした後、休眠状態からDRX状態に入り、休眠状態のコンポーネントキャリアはスケジューリングされることができなく、休眠状態のコンポーネントキャリアはデータの受発信に用いないことを特徴とする請求項28に記載のシステム。
【請求項３０】
プライマリコンポーネントキャリアがRRCの接続する状態下でのサービスセル或はメインサービスセルと関連するように配置することに用いられるプライマリコンポーネントキャリアとセルとの関係の配置ユニットが更に含まれることを特徴とする請求項28に記載のシステム。
【請求項３１】
制御ユニットは前記プライマリコンポーネントキャリアによって、前記非プライマリコンポーネントキャリアのDRXを決定する時、プライマリコンポーネントキャリアが制御シグナリング或は事前設定条件によって、非プライマリコンポーネントキャリアのDRXを決定することに更に用いられることを特徴とする請求項28に記載のシステム。
【発明の詳細な説明】
【技術分野】
【０００１】
本発明は通信分野に関し、特にマルチキャリアの間欠受信（DRX、Discontinuous Reception）の配置方法及びシステムに関するものである。
【背景技術】
【０００２】
第三世代の移動通信ロング・ターム・エボリューション（LTE、Long Term Evolution）システムは進化型ユニバーサル地上無線通信アクセスネットワーク（E-UTRAN、Evolved Universal Terrestrial Radio Access Network）、ユーザー機器（UE、User Equipment）、進化型パケット・コアネットワーク（EPC）で構成されている。その中に、E-UTRANは増強型基地局（eNB）で構成され、eNBとも呼ばれ、UEは端末とも呼ばれ、EPCは移動管理エンティティ（MME）、パケットデータネットワークゲートウェイ（P-GW）とサービング・ゲートウエイ（S-GW）を含む。
【０００３】
LTEシステムにおいて、UEの電池/パワー消費を省けるために、eNBはUEが物理ダウンリンク制御 チャネル（PDCCH、Physical Downlink Control Channel）の活動又は行為をモニタリングすることを制御するように、無線リソース制御プロトコル（RRC）によって、UEにDRX機能を配置する可能性がある。無線リソース制御に連続された状態下で、DRXを配置すれば、UEは間欠にPDCCHをモニタリングするように許容され、そうしないと、UEが連続にPDCCHをモニタリングする。RRCは持続時間タイマー、DRX非活動時間タイマー、放送制御チャンネルを受信する専用のダウンリンクハイブリッド自動再送要求（HARQ）プログラム以外に、ダウンリンクHARQプログラム毎に1つ配置されるDRX再送タイマー、長DRXサイクル、DRX起動オフセット変数を含むDRX操作に必要なタイマーと関連パラメーターを配置する。更に、DRX短サイクルタイマーと短DRXサイクルを選択できる。放送制御チャンネルを受信する専用のダウンリンクHARQプログラム以外に、ダウンリンクHARQプログラム毎には1つのHARQ往復時間タイマーが更に配置される。
【０００４】
UEのDRX行為を描くために、PDCCHサブフレームの概念が導入される。周波数分割複信（FDD、Frequency Divided Duplex）モードで動作するUEでは、PDCCHサブフレームが任意のサブフレームを代表できるが、時分割複信モード（TDD、Time Divided Duplex）で動作するUEでは、PDCCHサブフレームが単にダウンリンクサブフレームとDwPTSを含む特別なサブフレームを指す。
【０００５】
活動時間はUEのPDCCHサブフレームにおけるPDCCHをモニタリングする時間を指す。
【０００６】
メディアアクセス制御競合解決タイマーとはUEがランダムアクセス手順のメッセージ3（Msg3）を発送した後、UEがPDCCHの連続するPDCCHサブフレームの数をモニタリングすべくことを指す。
【０００７】
DRXサイクルとは持続時間に可能なある非活動時間が伴うサイクル性繰り替えを指す。
【０００８】
DRX非活動タイマーはUEがPDCCHのこのUEの初期アップリンク（Uplink）或はダウンリンク（Downlink）ユーザーデータ伝送を成功に復号した後の連続するPDCCHサブフレームの数を定義した。
【０００９】
DRX再送タイマーはUEがダウンリンク再送を最初期待する時の最大連続するPDCCHサブフレームの数を定義した。
【００１０】
DRX短サイクルタイマーはUEが短DRXサイクルに追跡する連続サブフレームの数を定義した。
【００１１】
HARQ往復時間タイマーはUEがダウンリンクHARQ再送を期待する前の最小サブフレームの数を定義した。
【００１２】
持続時間タイマーはDRXサイクルが開始する時の連続するPDCCHサブフレームの数を定義した。
【００１３】
図1は従来LTEシステムDRXの基本的な動作原理を示しており：DRXサイクルを配置すると、UEの活動時間は、持続時間タイマー、或はDRX非活動タイマー、或はDRX再送タイマー、或はメディアアクセス制御競合解決タイマーの運行する時間、或は物理アップリンク制御チャンネル（PUCCH）において発送されたスケジューリング要求（SR、Scheduling Request）の処理待ち（Pending）時間、すなわち、UEがSRを発送し、アップリンク許可（UL Grant）を待つ時間、或は対応するHARQバッファにデータがあり、処理待ちのHARQがアップリンク許可を再送して分配する発生可能な時間を含み、或はUEが明示式発送に対応するランダムアクセスプリアンブルのランダムアクセスの応答メッセージを成功に受信した後、まだPDCCHのUEに対応するセル無線ネットワークの一時識別子（C-RNTI）が指示される新しい伝送等を受信してない。
【００１４】
DRXを配置すると、UEが各々のサブフレームにおいて、以下通りの操作を実行する：
短DRXサイクルを使用し、且つ[(SFN * 10) + subframe number] modulo (shortDRX-Cycle) = (drxStartOffset) modulo (shortDRX-Cycle)を満たせば、或は長DRXサイクルを使用し、且つ[(SFN * 10) + subframe number] modulo (longDRX-Cycle) = drxStartOffsetを満たせば、相応するサブフレームにおいて持続時間タイマーを起動する。TDDモードに対して、持続時間タイマーがアップリンクサブフレームにおいて起動できる。その中に、SFNはサブフレームを記録するシステムフレーム数であり、subframe numberはサブフレーム数であり、shortDRX-Cycleが短DRXサイクルであり、drxStartOffsetがDRX起動オフセットであり、longDRX-Cycleが長DRXサイクルである。
【００１５】
このサブフレームがタイムアウトする時且つ相応するHARQプログラムの軟バッファにおけるデータが成功に復号されなければ、対応するHARQプログラムがDRX再送タイマーを起動することにする。
【００１６】
DRX命令メディアアクセス制御元素（DRX command MAC CE）を受信すれば、持続時間タイマーを停止し、DRX非活動タイマーを停止することにする。
【００１７】
このサブフレームDRX非活動タイマーがタイムアウトすれば或はDRX command MAC CEを受信すれば、短DRXサイクルを配置すれば、DRX短サイクルタイマーを起動或は再起動し、短DRXサイクルを使用し、そうしないと、長DRXサイクルを使用することにする。
【００１８】
DRX短サイクルタイマーがこのサブフレームにおいてタイムアウトすれば、長DRXサイクルを使用することにする。
【００１９】
この期間に、PDCCHサブフレームについては、半二重FDD UE操作のサブフレームと測量隙間との重複があるサブフレーム以外に、UEは以下通りの操作を実行する必要がある：
PDCCHをモニタリングする。
PDCCHがダウンリンク発送を指示する或はこのサブフレームにおいて事前配置しておくダウンリンク分配があれば、相応するHARQプログラムのためにHARQ往復時間タイマーを起動し、相応するHARQプログラムのためにDRX再送タイマーを停止することにする。
【００２０】
PDCCHがダウンリンク或はアップリンクの新しい伝送を指示すれば、DRX非活動タイマーを起動或は再起動することにする。
【００２１】
UEがPDCCHをモニタリングすることに拘わらず、HARQフィードバックを受信或は発送する必要となると、UEは HARQフィードバックを受信或は発送する。
【００２２】
日々に増やしている大規模広帯域高速移動アクセスの要求を満たすために、第3世代の移動体通信システムの標準化プロジェクト（3GPP、Third Generation Partnership Projects）は高級ロング・ターム・エボリューション（LTE-A、Long-Term Evolution advanced ）標準を打ち出した。LTE-AはLTE基礎の上で、一シリーズの新技術を採用し、周波数領域、空間領域を拡充することで、スペクトルの利用率を高める、システム容量を増加する等の目的を達成する。その中に、キャリア結合技術は2つ或は複数のコンポーネントキャリアを結合でき、更に幅広い周波数帯をサポートするようにし、例えば、100MHzに達すること、スペクトル結合。UEは同時に1つ又は複数のコンポーネントキャリアにおいて、データを受信/発送でき、ダウンリンク/アップリンクに配置され、異なる数の異なる帯域幅のコンポーネントキャリアを集合できる。各々のコンポーネントキャリアは1つのHARQ装置と伝送チャンネルに対応している。各々のダウンリンクコンポーネントキャリアにはそれぞれ1つ単独なPDCCHがあり、本コンポーネントキャリアにおけるリソース分配或は他のコンポーネントキャリアにおけるリソース分配を指示し、ダウンリンクリソース分配或はアップリンク許可に分けられ、PDCCHには0〜3bitのコンポーネントキャリア識別子を指示する情報がある。拡張コンポーネントキャリアに対して、PDCCHがない可能性もなり、そのリソース分配は他のPDCCHを有するコンポーネントキャリアに依存して指示してもらう。LTE-A搬送波結合中で、1つのコンポーネントキャリアをUEのサービスセルとして、同期、アクセス、システム情報、呼び出し等の機能を提供する可能性があり、或は複数コンポーネントキャリアを全部UEのサービスセルとして、上述機能を提供し、その中に、1つのサービスセルがメインサービスセルに設置され、測量参照、切替、ランダムアクセス時の第一選択或はメインセルとすることができる。複数のコンポーネントキャリアには下位互換性コンポーネントキャリア、非下位互換性コンポーネントキャリア或は拡張搬送波が配置される可能性がある。その中に、下位互換性コンポーネントキャリアはLTEシステムとLTE-AシステムのUEアクセスを提供でき、システムメッセージ、同期チャンネル、ランダムアクセスリソース、物理ダウンリンク制御 チャネルPDCCH等を提供する。非下位互換性コンポーネントキャリアはLTE-AシステムのUEアクセスを提供でき、システムメッセージ、同期チャンネル、ランダムアクセスリソース等を提供し、物理ダウンリンク制御 チャネルPDCCHを配置或は配置しない可能性があるが、他のコンポーネントキャリアのPDCCHによって、ダウンリンクリソース分配或はアップリンク許可を行い、上記二種類のコンポーネントキャリアは単独に存在できる。拡張コンポーネントキャリアは一般的にリソースとして存在し、ある増強或は拡張機能を提供し、異なる制御シグナリングフォーマットを採用し、システム情報を提供或は提供しなく、物理ダウンリンク制御 チャネルを配置或は配置しない可能性がある。
【発明の概要】
【発明が解決しようとする課題】
【００２３】
LTE-Aシステム搬送波結合のDRX方案において、現在三種類の基本的な方案があり：1）コンポーネントキャリアが一致しているDRX：全部のコンポーネントキャリアが一セットのDRXで配置され、同じDRX行為に従う。2）コンポーネントキャリア同士の独立なDRX：各々のコンポーネントキャリアにそれぞれDRXが配置され、そのDRX行為は互いに独立する。3）プライマリコンポーネントキャリアに基づいたDRX：プライマリコンポーネントキャリアにはDRXが配置され、他の非プライマリ搬送波のDRX配置と行為が部分或は全部でプライマリコンポーネントキャリアに従属する。上記三つの方案において、プライマリ搬送波に基づいたDRX方案及び他の二種類のDRX方案は現在に構想段階にあり、まだ完全な具体的な解決案を明確してない。
【課題を解決するための手段】
【００２４】
これに鑑み、本発明のプライマリ要な目的はDRX配置方法及びシステムを提供することにあり、構想段階にあるプライマリ搬送波に基づいたDRX方案を完璧化して、具体的に実現させる。
【００２５】
前記目的を達成するために、本発明の技術案は以下の通りに実現する：
間欠受信方法であって、複数のコンポーネントキャリアに間欠受信（DRX）を配置し、1つ或は複数のコンポーネントキャリアをプライマリコンポーネントキャリアとし、前記プライマリコンポーネントキャリアによって、関連した他の非プライマリコンポーネントキャリアのDRXを決定する。
【００２６】
その中に、前記プライマリコンポーネントキャリアはDRX状態を含み、前記DRX状態が活動状態と非活動状態を含み、
前記非プライマリコンポーネントキャリアはDRX状態と休眠状態を含み、その中に、前記DRX状態が活動状態と非活動状態を含む。
【００２７】
その中に、プライマリコンポーネントキャリアの前記DRX状態は長DRXサイクルをサポートするように配置され、短DRXサイクルをサポートする或はサポートしないことを選択でき、非プライマリコンポーネントキャリアが長DRXサイクルをサポートする或はサポートしないように配置することが選択でき、長DRXサイクルをサポートしないと配置すると、前記プライマリコンポーネントキャリアの制御シグナリングによって、そのDRX状態が活動状態か非活動状態かと決定し、その中に、
プライマリコンポーネントキャリアと非プライマリコンポーネントキャリアの前記DRX状態が短DRXサイクルをサポートするように配置されると、前記長DRXサイクルと前記短DRXサイクルとの間の相互遷移操作をサポートする。
【００２８】
その中に、前記休眠状態は、コンポーネントキャリアの閉状態或は非アクティブな状態であり、開にした或るアクティブにした後、休眠状態からDRX状態に入り、前記DRX状態に入ると、活動状態或は非活動状態しており、その中に、
休眠状態のコンポーネントキャリアは、スケジューリングされることができなく、休眠状態のコンポーネントキャリアはデータの受発信に用いられなく、すなわち、PDCCHをモニタリングしなく、PDSCHを受信しない。
【００２９】
その中に、この方法は、プライマリコンポーネントキャリアとセルとの関係を配置することが更に含まれ、前記配置は前記プライマリコンポーネントキャリアが無線リソース制御プロトコル（RRC）の接続した状態でのサービスセル或はメインサービスセルと関連することが具体的に含まれる。
【００３０】
その中に、この方法はプライマリコンポーネントキャリアとユーザー機器（UE）との関係を配置することが更に含まれ、前記配置は前記プライマリコンポーネントキャリアが現行UEと対応し、現行UEに対応するプライマリコンポーネントキャリアが他のUEに対して、プライマリコンポーネントキャリア或は非プライマリコンポーネントキャリアに配置されることが具体的に含まれる。
【００３１】
その中に、この方法はプライマリコンポーネントキャリアとチャンネルとの関係を配置することが更に含まれ、プライマリコンポーネントキャリアが下位互換性コンポーネントキャリア、或は非下位互換性コンポーネントキャリアとして、物理ダウンリンク制御 チャネル（PDCCH）を配置する必要があることが具体的に含まれる。
【００３２】
前記非プライマリコンポーネントキャリアとチャンネルとの配置関係は非プライマリコンポーネントキャリアが下位互換性コンポーネントキャリア、或は非下位互換性コンポーネントキャリア或は拡張コンポーネントキャリアとして、PDCCHを配置する或はPDCCHを配置しないことが具体的に含まれる。
【００３３】
その中に、現行非プライマリコンポーネントキャリアがPDCCHを配置しない時、更にプライマリコンポーネントキャリア、或は他のPDCCHが配置された非プライマリコンポーネントキャリアのPDCCHによって、現行のPDCCHを配置しない非プライマリコンポーネントキャリアのダウンリンクリソース分配或はアップリンク許可を指示する。
【００３４】
その中に、前記プライマリコンポーネントキャリアによって、前記非プライマリコンポーネントキャリアのDRXを制御することはプライマリコンポーネントキャリアが制御シグナリング或は事前設定条件によって、非プライマリコンポーネントキャリアのDRXを制御することが具体的に含まれる。
【００３５】
その中に、前記プライマリコンポーネントキャリアは増強基地局（eNB）からの制御シグナリングを非プライマリコンポーネントキャリアに発送することで、非プライマリコンポーネントキャリアDRXへの制御を実現し、或は、
前記非プライマリコンポーネントキャリアがプライマリコンポーネントキャリアのDRX配置或はDRX行為によって、現行非プライマリコンポーネントキャリアのDRX配置或はDRX行為を決定する。
【００３６】
その中に、前記制御シグナリングはメディアアクセス制御元素（MAC CE）或はPDCCHシグナリング或はRRCシグナリングが具体的に含まれ、前記非プライマリコンポーネントキャリアが前記プライマリコンポーネントキャリアからeNB制御シグナリングを受信する方式は、
プライマリコンポーネントキャリア上におけるPDCCH、或は現行非プライマリコンポーネントキャリアに配置されたPDCCH、或は他の非プライマリコンポーネントキャリアに配置されたPDCCHによって、受信し、或は、
プライマリコンポーネントキャリアが受信したMAC CE、或は現行非プライマリコンポーネントキャリアが受信したMAC CEによって、受信することが更に含まれる。
【００３７】
その中に、前記制御シグナリングはMAC CE又はPDCCHシグナリング又はRRCシグナリングを具体的に含み、短DRXサイクルと長DRXサイクルとの間を互いに遷移する状態が遷移するシーンの下で、
この方法は、前記eNBが前記プライマリコンポーネントキャリアで発送するMAC CEにおいて、前記状態の遷移をトリガーすることを更に含み、プライマリコンポーネントキャリアはeNBが発送したMAC CEによって、現行非プライマリコンポーネントキャリアが短DRXサイクルから長DRXサイクルに遷移するように通知し、或はプライマリコンポーネントキャリアはeNBが発送するMAC CEによって、現行非プライマリコンポーネントキャリアが長DRXサイクルから短DRXサイクルに遷移するように通知し、或は非プライマリコンポーネントキャリアが長DRXサイクルから短DRXサイクルへ遷移し、プライマリコンポーネントキャリアにおけるPDCCHが指示するダウンリンク分配、或はアップリンク許可によって、本コンポーネントキャリアのデータを受信或は発送する時、DRX非活動時間タイマーを起動し、DRX非活動時間タイマーがタイムアウトした後、短DRXサイクルに入ることが具体的に含まれ、
或は、この方法は前記eNBが前記非プライマリコンポーネントキャリアで発送するMAC CEにおいて、前記状態が遷移するようにトリガーすることが更に含まれ、eNBは現行非プライマリコンポーネントキャリアで発送するMAC CEにおいて、現行非プライマリコンポーネントキャリアが短DRXサイクルから長DRXサイクルへ遷移するように通知し、或はeNBは現行非プライマリコンポーネントキャリアで発送するMAC CEにおいて、現行非プライマリコンポーネントキャリアが長DRXサイクルから短DRXサイクルへ遷移するように通知することが具体的に含まれる。
【００３８】
その中に、前記eNBが前記現行非プライマリコンポーネントキャリアの状態遷移をトリガーするように通知することは、現行非プライマリコンポーネントキャリアがプライマリコンポーネントキャリア、或は現行非プライマリコンポーネントキャリアで発送するMAC CEによって短DRXサイクルと長DRXサイクルとの間の相互遷移を実現し、
或は現行非プライマリコンポーネントキャリアが事前設定条件によって短DRXサイクルと長DRXサイクルとの間の相互遷移を行い、この事前設定条件は業務の活動情况、或はプライマリコンポーネントキャリアにおけるDRX短サイクルタイマーがタイムアウトすることが具体的に含まれる。
【００３９】
その中に、前記制御シグナリングはMAC CE或はPDCCHシグナリング或はRRCシグナリングが具体的に含まれ、DRX状態から休眠状態へ遷移する状態が遷移するシーンの下で、
この方法は、現行非プライマリコンポーネントキャリアがプライマリコンポーネントキャリア、或は現行非プライマリコンポーネントキャリアで発送するMAC CEによって、DRX状態から休眠状態へ遷移し、或はプライマリコンポーネントキャリア、或は現行非プライマリコンポーネントキャリアで発送するPDCCHシグナリングによって、DRX状態から休眠状態へ遷移し、或はRRC非アクティブなシグナリングによってDRX状態から休眠状態へ遷移し、
或は、現行非プライマリコンポーネントキャリアは事前設定条件によってDRX状態から休眠状態へ遷移することがさらに含まれ、その中に、事前設定条件は業務の活動状況、或はプライマリコンポーネントキャリアにおけるDRX短サイクルタイマーがタイムアウトすることが具体的に含まれる。
【００４０】
その中に、前記制御シグナリングはMAC CE又はPDCCHシグナリング又はRRCシグナリングが具体的に含まれ、休眠状態からDRX状態へ遷移する状態が遷移するシーンの下で、
この方法は現行非プライマリコンポーネントキャリアがプライマリコンポーネントキャリアで発送するPDCCHシグナリングによって休眠状態からDRX状態へ遷移することが更に含まれる。
【００４１】
その中に、前記プライマリコンポーネントキャリアが短DRXサイクルをしていると、前記非プライマリコンポーネントキャリアが短DRXサイクル又は長DRXサイクル又は休眠状態をしており、
前記プライマリコンポーネントキャリアが長DRXサイクルをしていると、前記非プライマリコンポーネントキャリアが長DRXサイクル或は休眠状態をしている。
【００４２】
その中に、異なる用途のMAC CEがそれぞれ異なる論理チャンネル識別子を用いて指示し、その中に、
MAC CEの状態は長DRXサイクルに入り、短DRXサイクルに入り、或は休眠状態に入ることが含まれる。
【００４３】
その中に、この方法は前記非プライマリコンポーネントキャリアのタイマーを更に配置し、前記配置は、
非プライマリコンポーネントキャリアが独立するDRX非活動時間タイマーを更に配置し、
或は非プライマリコンポーネントキャリアが独立するDRX非活動時間タイマーと持続時間タイマーを更に配置し、
或は非プライマリコンポーネントキャリアが独立するDRX非活動時間タイマー或は持続時間タイマーを更に配置し、
或は非プライマリコンポーネントキャリアがDRX短サイクルタイマーを更に配置し、且つDRX短サイクルタイマーによって、DRXサイクル間の遷移シーンを制御し、
或は非プライマリコンポーネントキャリアがDRX短サイクルタイマーを更に配置しないが、短DRXサイクルと長DRXサイクル及びその相互な遷移をサポートでき、
或は非プライマリコンポーネントキャリアは独立するDRX非活動時間タイマーを更に配置しなく、
或は非プライマリコンポーネントキャリアは独立する持続時間タイマーを更に配置しないことが更に含まれる。
【００４４】
その中に、前記非プライマリコンポーネントキャリアが前記独立するDRX非活動時間タイマーを配置する場合に、その他の部分或は全部DRX配置がプライマリコンポーネントキャリアのDRX配置に従い、
前記非プライマリコンポーネントキャリアが前記独立するDRX非活動時間タイマーと持続時間タイマーを配置する場合に、その他の部分或全部DRX配置がプライマリコンポーネントキャリアのDRX配置に従い、
前記非プライマリコンポーネントキャリアが前記独立するDRX非活動時間タイマー、或は持続時間タイマーを配置する場合に、DRX非活動時間タイマー或は持続時間タイマーの値はプライマリコンポーネントキャリアの相応なタイマーの値より小さく、或はプライマリコンポーネントキャリアの相応なタイマーの値に相当し、或はプライマリコンポーネントキャリアの相応なタイマーの値より大きくなり、
前記非プライマリコンポーネントキャリアが独立するDRX非活動時間タイマーを配置しない場合に、プライマリコンポーネントキャリアにおけるDRX非活動時間タイマーを起動する或は再起動すると、非プライマリコンポーネントキャリアが相応にその活動状態の時間を延長し、プライマリコンポーネントキャリアと一致させ、
前記非プライマリコンポーネントキャリアは独立する持続時間タイマーを配置しない場合に、非プライマリコンポーネントキャリアがプライマリコンポーネントキャリアのPDCCHシグナリング或は持続時間タイマーによって、起動し、DRX活動状態に入り、プライマリコンポーネントキャリアのDRX非活動タイマーがタイムアウトする或は持続時間タイマーがタイムアウトすると、自動的にDRX非活動状態或は休眠状態に入る。
【００４５】
その中に、前記プライマリコンポーネントキャリアと各非プライマリコンポーネントキャリアが配置するDRX非活動時間タイマーはそれぞれ本コンポーネントキャリアのスケジューリング状況に応じて、独立に起動する或は再起動する。
【００４６】
その中に、各々非プライマリコンポーネントキャリアのDRX配置は一致或は独立に保ち、
各々非プライマリコンポーネントキャリアが持続時間タイマーを配置すると、前記持続時間タイマーの起動が位置するサブフレームは全部プライマリコンポーネントキャリアの持続時間タイマーの起動が位置するサブフレームと位置合わせ、
非プライマリコンポーネントキャリアのDRX配置には再送タイマーとハイブリッド自動再送要求（HARQ）往復時間タイマーが含まれると、再送タイマーとHARQ往復時間タイマーとが各々のダウンリンクHARQプログラムにそれぞれ配置され、再送タイマーとHARQ往復時間タイマーの値はプライマリコンポーネントキャリアと対応するタイマーの値と一致する或は異なる。
【００４７】
その中に、プライマリコンポーネントキャリアのDRX行為はLTEシステムにおけるDRX行為と原則に更に従う必要があり、或はLTEシステムにおけるDRX行為と原則と互換性を保つ前提したで、また他の拡張機能に従う。
【００４８】
その中に、非プライマリコンポーネントキャリアのDRX行為は部分或は全部LTEシステムにおけるDRX行為と原則を更に従い、且つプライマリコンポーネントキャリアの制御シグナリングを受信し、制御シグナリングによって、相応なDRX行為を実行し、
或は非プライマリコンポーネントキャリアはプライマリコンポーネントキャリアのDRX配置と行為によって、一致するDRX行為を実行し、
或は非プライマリコンポーネントキャリアはプライマリコンポーネントキャリアのDRX配置と行為によって、事前設定条件に応じて、相応なDRX行為を実行する。
その中に、この方法はUEとeNBとの間の相互のスケジューリング要求（SR）及び応答SRの過程が更に含まれ、
UEがeNBにSRを発送する時、任意の専用物理アップリンク制御チャンネル（PUCCH）リソースが配置されるコンポーネントキャリアで発送し、或はプライマリコンポーネントキャリアで発送し、
前記UEが前記SRを発送した後、少なくともアップリンク許可を受信する或はSRが最大回数に発送するまで、プライマリコンポーネントキャリアが活動状態に更に保ち、或いは、少なくともアップリンク許可を受信する或はSRが最大回数に発送するまで、全部のコンポーネントキャリアが活動状態に更に保ち、
前記eNBがUEの発送する前記SRを応答すると、更にプライマリコンポーネントキャリアに限り、アップリンク許可を発送し、或は任意の活動状態のコンポーネントキャリアにおいて、アップリンク許可を発送することが具体的に含まれる。
【００４９】
間欠受信配置システムであって、このシステムは選択及び配置ユニット、制御ユニットを含み、その中に、
選択及配置ユニットは複数のコンポーネントキャリアにDRXを配置すし、1つ或は複数のコンポーネントキャリアを選択し、プライマリコンポーネントキャリアとすることに用いられ、
制御ユニットは、前記プライマリコンポーネントキャリアによって、関連する他の非プライマリコンポーネントキャリアのDRXを制御することに用いられる。
【００５０】
その中に、このシステムは前記プライマリコンポーネントキャリアがしている状態を制御することに用いられる状態制御ユニットが更に含まれ、DRX状態が具体的に含まれ、その中に、DRX状態は活動状態と非活動状態を含み、
前記非プライマリコンポーネントキャリアがしている状態を制御するとき、DRX状態と休眠状態を具体的に含み、その中に、DRX状態は活動状態と非活動状態を含む。
【００５１】
その中に、このシステムはプライマリコンポーネントキャリアとセルとの関係の配置ユニット、プライマリコンポーネントキャリアとUEとの関係の配置ユニットを含み、その中に、
プライマリコンポーネントキャリアとセルとの関係の配置ユニットは、プライマリコンポーネントキャリアがRRCの接続する状態下でのサービスセル或はメインサービスセルと関連するように配置することに用いられ、
プライマリコンポーネントキャリアとUEとの関係の配置ユニットは、前記プライマリコンポーネントキャリアと現行UEと対応するように配置することに用いられ、現行UEに対応するプライマリコンポーネントキャリアが他のUEに対して、プライマリコンポーネントキャリア或は非プライマリコンポーネントキャリアに配置される。
【００５２】
その中に、このシステムはプライマリコンポーネントキャリアとチャンネルとの関係の配置ユニットと、非プライマリコンポーネントキャリアとチャンネルとの関係の配置ユニットを更に含み、その中に、
プライマリコンポーネントキャリアとチャンネルと関係する配置ユニットは、プライマリコンポーネントキャリアが下位互換性コンポーネントキャリア或は非下位互換性コンポーネントキャリアとすると、PDCCHを配置する必要があることに用いられ、
非プライマリコンポーネントキャリアとチャンネルとの関係の配置ユニットは、非プライマリコンポーネントキャリアが下位互換性コンポーネントキャリア又は非下位互換性コンポーネントキャリア又は拡張コンポーネントキャリアとすると、PDCCHを配置する或はPDCCHを配置しないことに用いられる。
【００５３】
本発明は複数のコンポーネントキャリアにDRXを配置し、1つ或は複数のコンポーネントキャリアをプライマリコンポーネントキャリアとして選択し、選択されたプライマリコンポーネントキャリアによって、関連した他の非プライマリコンポーネントキャリアのDRXを制御する。
【発明の効果】
【００５４】
本発明を採用することにより、プライマリキャリアに基づいたDRX方案を明確化し、構想段階にあるプライマリキャリアに基づいたDRX配置案を完璧化し、具体的に実現させる。
【図面の簡単な説明】
【００５５】
【図１】図1は、従来LTEシステムDRXの基本動作原理の模式図である。
【図２】図2は、本発明方法の実現流れの模式図である。
【図３】図3は、LTE-Aキャリア結合システムにおけるプライマリコンポーネントキャリアのDRX状態の模式図である。
【図４】図4は、LTE-A搬送波結合システムにおける非プライマリコンポーネントキャリアのDRX状態及びその遷移の模式図である。
【図５】図5は、LTE-A搬送波結合システムにおけるプライマリコンポーネントキャリアと非プライマリコンポーネントキャリアのDRX配置とDRX行為シーンの模式図である。
【発明を実施するための形態】
【００５６】
本発明の基本的な主旨は、複数のコンポーネントキャリアにDRXを配置し、1つ或は複数のコンポーネントキャリアをプライマリコンポーネントキャリアとして、選択されたプライマリコンポーネントキャリアによって、関連した他の非プライマリコンポーネントキャリアのDRXを制御する。
【００５７】
以下、付属図を参照しながら技術案の実施を更に詳細的に記載する。
図2に示すように、DRX方法であって、この方法は、以下のステップを含み：
複数のコンポーネントキャリアにDRXを配置し、1つ或は複数のコンポーネントキャリアを選択し、プライマリコンポーネントキャリアとし、
ここで、複数のコンポーネントキャリアにDRXを配置することは、複数のコンポーネントキャリアにおけるプライマリコンポーネントキャリア、非プライマリコンポーネントキャリアにそれぞれDRXを配置することを指すステップ101、
プライマリコンポーネントキャリアによって、関連した他の非プライマリコンポーネントキャリアのDRXを決定するステップ102が含まれる。
【００５８】
更に、プライマリコンポーネントキャリアの状態については、プライマリコンポーネントキャリアはDRX状態を含み、その中に、DRX状態が活動状態と非活動状態を含む。非プライマリコンポーネントキャリアの状態については、非プライマリコンポーネントキャリアはDRX状態と休眠状態を含み、その中に、DRX状態が活動状態と非活動状態も含む。休眠状態が非アクティブな状態を含む。
【００５９】
更に、DRX状態がサポートする必要なサイクルタイプについては、プライマリコンポーネントキャリアのDRX状態は長DRXサイクルをサポートできる。プライマリコンポーネントキャリアと非プライマリコンポーネントキャリアのDRX状態は短DRXサイクルをサポートできるかサポートできないかを更に選択できる。非プライマリコンポーネントキャリアについては、長DRXサイクルをサポートするかサポートしないかを配置することを選択できるが、プライマリコンポーネントキャリアの制御シグナリングだけで、そのDRX状態が活動状態か非活動状態かを決定する。その中に、プライマリコンポーネントキャリアと非プライマリコンポーネントキャリアのDRX状態が短DRXサイクルをサポートすると、長DRXサイクルと短DRXサイクルとの間の相互遷移の操作をサポートする。
【００６０】
更に、以上の非プライマリコンポーネントキャリアの休眠状態については、非プライマリコンポーネントキャリアの休眠状態はコンポーネントキャリアの閉状態或は非アクティブな状態を指す。開けた或はアクティブした後、休眠状態からDRX状態に入ることができる。前記DRX状態に入ると、活動状態或は非活動状態がしていることができる。休眠状態のコンポーネントキャリアはスケジューリングされることができなく、休眠状態のコンポーネントキャリアはデータの受発信に用いない。
【００６１】
更に、プライマリコンポーネントキャリアとセルとの配置関係については、プライマリコンポーネントキャリアがRRCの接続した状態でのサービスセル或はメインサービスセルと関連する。
【００６２】
更に、プライマリコンポーネントキャリアとUEとの配置関係については、プライマリコンポーネントキャリアがUEに対する特定なものであり、すなわち、あるUEに対応するプライマリコンポーネントキャリアは、他のUEにとって、プライマリコンポーネントキャリアでもよく、非プライマリコンポーネントキャリアでもよい。
【００６３】
更に、プライマリコンポーネントキャリアとチャンネルとの配置関係については、プライマリコンポーネントキャリアは下位互換性コンポーネントキャリア又は非下位互換性コンポーネントキャリアであり、PDCCHが配置される必要がある。
【００６４】
更に、非プライマリコンポーネントキャリアとチャンネルとの配置関係については、非プライマリコンポーネントキャリアは下位互換性コンポーネントキャリア或は非下位互換性コンポーネントキャリア或は拡張コンポーネントキャリアであり、PDCCHが配置されてもよく、PDCCHが配置されなくてもよい。
【００６５】
その中に、PDCCHが配置されない非プライマリコンポーネントキャリアについては、PDCCHが配置されない非プライマリコンポーネントキャリアは、そのダウンリンクリソース分配或はアップリンク許可がプライマリコンポーネントキャリア或は他のPDCCHが配置されていた非プライマリコンポーネントキャリアによって、PDCCHを用いて、指示する。
【００６６】
更に、プライマリコンポーネントキャリアが非プライマリコンポーネントキャリアのDRXを制御することについては、プライマリコンポーネントキャリアは制御シグナリング或は事前設定条件によって、非プライマリコンポーネントキャリアのDRXを制御し、その中に、制御シグナリングはメディアアクセス制御元素（MAC CE）又はPDCCHシグナリング或はRRCシグナリングである。
【００６７】
制御シグナリング或は事前設定条件を用いて、非プライマリコンポーネントキャリアDRXの制御を実現することについては、プライマリコンポーネントキャリアは制御シグナリングによって非プライマリコンポーネントキャリアのDRXを制御し、更に、eNBからの制御シグナリングを非プライマリコンポーネントキャリアに発送して実現させ、或は非プライマリコンポーネントキャリアはプライマリコンポーネントキャリアのDRX配置或はDRX行為によって、本コンポーネントキャリアのDRX行為を決定する。
【００６８】
制御シグナリングはMAC CE又はPDCCHシグナリング或はRRCシグナリングであってもよく、非プライマリコンポーネントキャリアが更にプライマリコンポーネントキャリアからeNB制御シグナリングを受信する方式は、プライマリコンポーネントキャリアにおけるPDCCH、或は本コンポーネントキャリアに配置されたPDCCH、或は他の非プライマリコンポーネントキャリアに配置されたPDCCH、或はプライマリコンポーネントキャリアが受信したMAC CE、或は本コンポーネントキャリアが受信したMAC CEによる方式である。
【００６９】
eNBのプライマリコンポーネントキャリアで発送するMAC CEがトリガーする状態遷移については、そして状態遷移は短DRXサイクルと長DRXサイクルとの間の相互な遷移のシーンであり、プライマリコンポーネントキャリアは更にeNBが発送するAC CEによって、非プライマリコンポーネントキャリアが短DRXサイクルから長DRXサイクルに遷移するように通知し、プライマリコンポーネントキャリアは更にeNBが発送するMAC CEによって、非プライマリコンポーネントキャリアが長DRXサイクルから短DRXサイクルへ遷移するように通知する。
【００７０】
eNBの非プライマリコンポーネントキャリアで発送するMAC CEがトリガーする状態遷移については、そして状態遷移が短DRXサイクルと長DRXサイクルとの間の相互遷移のシーンであり、eNBは更に非プライマリコンポーネントキャリアにおいてMAC CEを発送し、本非プライマリコンポーネントキャリアが短DRXサイクルから長DRXサイクルへ遷移するように通知し、eNBが更に非プライマリコンポーネントキャリアにおいてMAC CEを発送し、本非プライマリコンポーネントキャリアが長DRXサイクルから短DRXサイクルへ遷移するように通知する。或は非プライマリコンポーネントキャリアが長DRXサイクルから短DRXサイクルへ遷移することは、受信したプライマリコンポーネントキャリアにおけるPDCCHの指示したダウンリンク分配或はアップリンク許可が、本コンポーネントキャリアのデータの受信或は発送である場合によって、DRX非活動時間タイマーを起動し、DRX非活動時間タイマーがタイムアウトした後、短DRXサイクルに入る。
【００７１】
以上のeNBがプライマリコンポーネントキャリアで発送するMAC CE或はeNBが非プライマリコンポーネントキャリアで発送するMAC CEという二種類の異なる方式で、トリガー状態が遷移するように通知し、非プライマリコンポーネントキャリアが短DRXサイクルと長DRXサイクルとの間の相互遷移過程を実現する過程は、プライマリコンポーネントキャリア或は本非プライマリコンポーネントキャリアで発送するMAC CEによって、短DRXサイクルと長DRXサイクルとの間の相互遷移を行い、非プライマリコンポーネントキャリアが事前設定条件によって、短DRXサイクルと長DRXサイクルとの間の相互遷移を行うことが更に含まれる。その中に、事前設定条件は業務の活動状況であり、例えば、このコンポーネントキャリアにおいて連続する事前設定数の持続時間にデータの発送或は受信を実行しなく、連続する事前設定数の持続時間タイマーがタイムアウトし、且つUEがこの期間にダウンリンクリソース分配或はアップリンク許可を受けないことをトリガー条件とすることができ、或は事前設定条件はプライマリコンポーネントキャリアにおけるDRX短サイクルタイマーがタイムアウトすることである。
【００７２】
状態遷移はDRX状態から休眠状態へ遷移する遷移シーンであり、非プライマリコンポーネントキャリアは更にプライマリコンポーネントキャリア或は本非プライマリコンポーネントキャリアで発送するMAC CE、或はプライマリコンポーネントキャリア或は本非プライマリコンポーネントキャリアで発送するPDCCHシグナリングによってDRX状態から休眠状態へ遷移し、或はRRC非アクティブなシグナリングによって、DRX状態から休眠状態へ遷移し、或は事前設定条件によって、DRX状態から休眠状態へ遷移する。その中に、事前設定条件は業務の活動状況であり、例えば、このコンポーネントキャリアにおいて連続する事前設定数の持続時間にデータの発送或は受信を実行しなく、連続する事前設定数の持続時間タイマーがタイムアウトし、且つUEがこの期間にトリガー条件として、ダウンリンクリソース分配或はアップリンク許可を受けないことであり、或は事前設定条件はプライマリコンポーネントキャリアにおけるDRX短サイクルタイマーがタイムアウトすることである。説明する必要があるのはDRX状態から休眠状態へ遷移する時、DRX状態は活動状態或は非活動状態をしている可能となる。
【００７３】
非プライマリコンポーネントキャリアはプライマリコンポーネントキャリアで発送するPDCCHシグナリングによって、休眠状態からDRX状態へ遷移する。
【００７４】
上記非プライマリコンポーネントキャリアが休眠状態からDRX状態へ遷移する時、DRX状態の活動状態或は非活動状態をしている可能となり、持続時間タイマーとDRX起動オフセット変数と共同で決定する。
【００７５】
プライマリコンポーネントキャリアが短DRXサイクルをしていると、非プライマリコンポーネントキャリアが更に短DRXサイクル或は長DRXサイクル或は休眠状態をしておいてもよい。
【００７６】
プライマリコンポーネントキャリアが長DRXサイクルをしていると、非プライマリコンポーネントキャリアが更に長DRXサイクル或は休眠状態をしておいてもよい。
【００７７】
MAC CEについては、異なる用途のMAC CEはそれぞれ異なる論理チャンネル識別子を用いて指示する。その中に、MAC CEは長DRXサイクルに入り、短DRXサイクルに入り、休眠状態に入ることが含まれる。
【００７８】
プライマリコンポーネントキャリアのDRX配置については、LTE-AシステムとLTEシステムとの互換性を配慮し、プライマリコンポーネントキャリアのDRX配置はLTEシステムにおける現行するすべてのDRX配置を含むが、それに限らない。その中に、RRCがプライマリコンポーネントキャリアDRX操作に所要するタイマーと関連パラメーターを配置することが含まれ、持続時間タイマー、DRX非活動時間タイマー、放送制御チャンネルを受信する専用のダウンリンクHARQプログラム以外に、ダウンリンクHARQプログラム毎に1つ配置されるDRX再送タイマー、長DRXサイクル、DRX起動オフセット変数を含むが、それに限らない。DRX短サイクルタイマーと短DRXサイクルを選択できる。放送制御チャンネルを受信する専用のダウンリンクHARQプログラム以外に、ダウンリンクHARQプログラム毎には1つのHARQ往復時間タイマーが更に配置される。
【００７９】
非プライマリコンポーネントキャリアのDRX配置については、同様にLTE-AシステムとLTEシステムとの互換性を配慮する必要があり、非プライマリコンポーネントキャリアのDRX配置はLTEシステムにおける現行するすべてのDRX配置を含むが、それに限らない。その中にRRCがプライマリコンポーネントキャリアDRX操作に所要するタイマーと関連パラメーターを配置することが含まれ、持続時間タイマー、DRX非活動時間タイマー、放送制御チャンネルを受信する専用のダウンリンクHARQプログラム以外に、ダウンリンクHARQプログラム毎に1つ配置されるDRX再送タイマー、長DRXサイクル、DRX起動オフセット変数を含むが、それに限らない。DRX短サイクルタイマーと短DRXサイクルを選択できる。放送制御チャンネルを受信する専用のダウンリンクHARQプログラム以外に、ダウンリンクHARQプログラム毎には1つのHARQ往復時間タイマーが更に配置される。
【００８０】
非プライマリコンポーネントキャリアのDRX配置については、同様にLTE-AシステムとLTEシステムとの互換性を配慮する必要があり、以上係わるDRX配置全般と区別して、非プライマリコンポーネントキャリアのDRX配置はLTEシステムにおける部分DRX配置を含むが、それに限らない。その中に、持続時間タイマー、DRX非活動時間タイマー、放送制御チャンネルを受信する専用のダウンリンクハイブリットHARQプログラム以外に、ダウンリンクHARQプログラム毎に1つ配置されるDRX再送タイマー、長DRXサイクル、DRX起動オフセット変数、からの一種或は多種を含むが、それに限らなく、DRX短サイクルタイマーと短DRXサイクルを更に選択できる。放送制御チャンネルを受信する専用のダウンリンクHARQプログラム以外に、ダウンリンクHARQプログラム毎には1つのHARQ往復時間タイマーが更に配置される。
【００８１】
非プライマリコンポーネントキャリアとタイマーとの配置関係については、非プライマリコンポーネントキャリアは独立するDRX非活動時間タイマーを更に配置する。独立するDRX非活動時間タイマーだけ配置するシーンに適用する。
【００８２】
その中に、非プライマリコンポーネントキャリアは独立するDRX非活動時間タイマーのみを配置するシーンの下で、他の部分又は全部DRX配置はプライマリコンポーネントキャリアのDRX配置に従う。
【００８３】
非プライマリコンポーネントキャリアとタイマーとの配置関係については、非プライマリコンポーネントキャリアは独立するDRX非活動時間タイマーと持続時間タイマーだけ配置する。独立するDRX非活動時間タイマーだけ配置しなく、持続時間タイマーも更に配置するシーンに適用する。
【００８４】
その中に、非プライマリコンポーネントキャリアが独立するDRX非活動時間タイマーだけ配置しなく、持続時間タイマーも更に配置するシーンの下で、他の部分或は全部DRX配置はプライマリコンポーネントキャリアのDRX配置に従い、
非プライマリコンポーネントキャリアとタイマーとの配置関係については、非プライマリコンポーネントキャリアが独立するDRX非活動時間タイマー、或は持続時間タイマーを配置するシーンの下で、DRX非活動時間タイマー或は持続時間タイマーの値はプライマリコンポーネントキャリアの相応なタイマーの値より小さく、或はプライマリコンポーネントキャリアの相応なタイマーの値に相当し、或はプライマリコンポーネントキャリアの相応なタイマーの値より大きくなる。
【００８５】
非プライマリコンポーネントキャリアとタイマーとの配置関係については、非プライマリコンポーネントキャリアはDRX短サイクルタイマーを配置することができ、及びこのタイマーによって、DRXサイクル間の遷移シーンを制御する。
【００８６】
その中に、上記係わるプライマリコンポーネントキャリアと各非プライマリコンポーネントキャリアが配置したDRX非活動時間タイマーはそれぞれ本コンポーネントキャリアのスケジューリング状況によって、独立に起動する或は再起動する。
【００８７】
その中に、非プライマリコンポーネントキャリアは独立するDRX非活動時間タイマーを更に配置しなく、プライマリコンポーネントキャリアのDRX非活動時間タイマーを再起動すると、非プライマリコンポーネントキャリアが相応的にその活動状態の時間を延長し、プライマリコンポーネントキャリアと一致させる。
【００８８】
その中に、非プライマリコンポーネントキャリアは独立する持続時間タイマーを更に配置しなく、非プライマリコンポーネントキャリアがプライマリコンポーネントキャリアのPDCCHシグナリングによって、DRX活動状態に入り、プライマリコンポーネントキャリアのDRX非活動タイマーがタイムアウトすると、自動にDRX非活動状態或は休眠状態に入る。
【００８９】
非プライマリコンポーネントキャリアのDRX配置については、各非プライマリコンポーネントキャリアのDRX配置は一致に保ち、或は相互に独立する。
【００９０】
更に、各々非プライマリコンポーネントキャリアが持続時間タイマーを配置すると、このタイマーの起動が位置するサブフレームは全部プライマリコンポーネントキャリアの持続時間タイマーの起動が位置するサブフレームと位置合わせる。
【００９１】
更に、非プライマリコンポーネントキャリアがDRX短サイクルタイマーを配置しないが、相変わらず、短DRXサイクルと長DRXサイクル及びその相互遷移をサポートできる。
【００９２】
非プライマリコンポーネントキャリアのDRX再送タイマーとHARQ往復時間タイマーは各々ダウンリンクHARQプログラムにそれぞれ配置され、相応なタイマーの値とプライマリコンポーネントキャリアの相応なタイマーの値と一致する或は異なる。
【００９３】
プライマリコンポーネントキャリアのDRX行為については、プライマリコンポーネントキャリアのDRX行為は更にLTEシステムにおけるDRX行為と原則に従い背景技術中の描きを参照し、LTEシステムのDRX行為と原則と互換性を保つ前提したで、また他の拡張機能に従う。
【００９４】
非プライマリコンポーネントキャリアのDRX行為については、非プライマリコンポーネントキャリアのDRX行為は部分或は全部LTEシステムにおけるDRX行為と原則に従い、且つプライマリコンポーネントキャリアの制御シグナリングを受信し、制御シグナリングによって、相応するDRX行為を実行し、或はプライマリコンポーネントキャリアのDRX配置と行為によって、一致するDRX行為を実行し、或はプライマリコンポーネントキャリアのDRX配置と行為によって、事前設定条件に応じて、相応するDRX行為を実行し、例えば、プライマリ分量のDRX短サイクルタイマーがタイムアウトし、長DRXサイクルに入ると、自動的に休眠状態に入る。
【００９５】
UEとeNBとの間でSRを互換すること及びSRが応答することについては、UEがeNBにSRを発送する時、任意の専用PUCCHリソースが配置されたコンポーネントキャリアにおいて、発送でき或はプライマリコンポーネントキャリアだけで発送する。
【００９６】
UEとeNBとの間でSRを互換すること及びSRが応答することについては、eNBがSRを応答する時、プライマリコンポーネントキャリアに限りアップリンク許可を発送し、UEがSRを発送した後、少なくともアップリンク許可を受信する或はSRが最大回数に発送するまで、プライマリコンポーネントキャリアが活動状態に更に保ち、或は、eNBがSRを応答する時、任意の活動状態のコンポーネントキャリアにおいて、アップリンク許可を発送でき、UEがSRを発送した後、少なくともアップリンク許可を受信する或はSRが最大回数に発送するまで、全部のコンポーネントキャリアが活動状態に更に保つ。
【００９７】
以下、本発明を例示に述べる。
図3、図4にはLTE-A搬送波結合システムにおけるプライマリコンポーネントキャリアと非プライマリコンポーネントキャリアのDRX状態及びその遷移の模式図を示し、以下通りに説明する：
プライマリコンポーネントキャリアの状態は1つのDRX状態を含み、その中に活動状態と非活動状態を含み、短DRXサイクルをサポートすることが配置すれば、短DRXサイクルと長DRXサイクル及びその遷移をサポートする。プライマリコンポーネントキャリアのDRX行為及びDRX状態中、その間の状態遷移、短DRXサイクルと長DRXサイクルとの遷移等の各種操作はLTEシステムの配置と原則と一致する。
【００９８】
非プライマリコンポーネントキャリアの状態は1つのDRX状態と1つの休眠状態を含み、その中に、DRX状態が短DRXサイクルをサポートするように配置されれば、短DRXサイクルと長DRXサイクル及びその遷移をサポートする。非プライマリコンポーネントキャリアは配置しなく、プライマリコンポーネントキャリア或は本コンポーネントキャリアにおけるMAC CE或はPDCCHシグナリングによって、それが短DRXサイクルから長DRXサイクルへ遷移する或は休眠状態へ遷移するように制御し、プライマリコンポーネントキャリア或は本コンポーネントキャリアにおけるMAC CE或はPDCCHシグナリングによって、長DRXサイクルから短DRXサイクルへ遷移し、プライマリコンポーネントキャリアにおけるPDCCHシグナリングによって、休眠状態からDRX状態へ遷移し、非プライマリコンポーネントキャリアは暗黙なルール、事前設定条件とも呼ばれ、例えば本コンポーネントキャリアにおける業務データスケジューリング状況によって、短DRXサイクルと長DRXサイクル間の遷移、或はDRX状態から休眠状態への遷移を決定し、非プライマリコンポーネントキャリアが配置されてもよく、LTEシステムの同じ原則によって、短DRXサイクルと長DRXサイクルとの間の遷移を制御し、非プライマリコンポーネントキャリアはDRX状態内においても、完全にプライマリコンポーネントキャリアの状態遷移状況によって、本コンポーネントキャリアの状態遷移を決定し、プライマリコンポーネントキャリアにおけるDRX行為と完全に一致する方式で運行し、しかし、DRX状態と休眠状態間の遷移が前記原則に従う必要があり、LTEシステムにおいて、類似案がない。
【００９９】
図5にはLTE-A搬送波結合システムにおけるプライマリコンポーネントキャリアと非プライマリコンポーネントキャリアのDRX配置とDRX行為シーンの1つの模式図を示し、以下の通りに説明する：
プライマリコンポーネントキャリアはLTEシステムにおけるDRX配置の全シリーズを配置し、LTEシステムと一致するDRX行為に従い、且つ非プライマリコンポーネントキャリアのDRX行為を相応に制御する。
【０１００】
非プライマリ成分1和非プライマリコンポーネントキャリア2はそれぞれ独立する持続時間タイマーとDRX非活動時間タイマーを配置し、この2つのタイマーの値は全部プライマリコンポーネントキャリアの対応するタイマーの値より小さい。この2つの非プライマリコンポーネントキャリアのタイマーとDRX再送タイマーはそれぞれダウンリンクHARQプログラム毎に1つ配置され、タイマーの値はそれぞれプライマリコンポーネントキャリアの相応なタイマーの値と一致する。この2つの非プライマリコンポーネントキャリアはタイマーを配置しなくて、それらのDRXサイクル遷移操作がプライマリ搬送波によって制御する或は暗黙ルールによって行う。
【０１０１】
非プライマリコンポーネントキャリア1に対して、第一番目で、プライマリコンポーネントキャリアのPDCCHによって、ダウンリンクリソース分配或はアップリンク許可を受信し、その独立するDRX非活動時間タイマーを起動し、且つDRX非活動時間タイマーがタイムアウトした後、自動的に短DRXサイクルを使用する。次で、eNBがプライマリコンポーネントキャリアによって発送する長DRXサイクル或は休眠状態に入るシグナリングを受信し、相応するMAC CE或はPDCCHシグナリングである可能性があり、長DRXサイクル或は休眠状態に入る。長DRXサイクル或は休眠状態に入ることは異なる制御シグナリングを使用する。
【０１０２】
非プライマリコンポーネントキャリア2が連続の2つでスケジューリングシグナリングを受信しなく、業務データの受発信行為がないことに対して、このコンポーネントキャリアは事前設定したルールによって、自動的に長DRXサイクル或は休眠状態に入る。長DRXサイクル或は休眠状態に入ることは異なる暗黙ルールを使用する。
【０１０３】
以上の描きから、本発明がLTE-Aシステム搬送波結合におけるDRX方案を提供し、この方法は、配置と操作が簡単で、LTEシステムとの互換性がよく、DRX節電性能に優れるメリットを有することを見ることができる。
【０１０４】
DRX配置システムであって、このシステムは選択及び構成ユニットと制御ユニットを含む。その中に、選択及び配置ユニットは複数のコンポーネントキャリアにDRXを配置し、1つ或は複数のコンポーネントキャリアを選択し、プライマリコンポーネントキャリアとする。制御ユニットはプライマリコンポーネントキャリアによって、関連するほかの非プライマリコンポーネントキャリアのDRX配置を制御する。
【０１０５】
ここで、このシステムはプライマリコンポーネントキャリアがある状態を制御することに用いられる状態制御ユニットを含み、具体的にDRX状態を含み、その中に、DRX状態は活動状態と非活動状態を含む。状態制御ユニットは更に非プライマリコンポーネントキャリアがしている状態を制御することに用いられ、具体的にDRX状態と休眠状態を含み、その中に、DRX状態は活動状態と非活動状態を含み、休眠状態は非アクティブな状態を含む。
【０１０６】
ここで、このシステムはプライマリコンポーネントキャリアとセルとの関係の配置ユニット、プライマリコンポーネントキャリアとUEとの関係の配置ユニットが更に含まれる。プライマリコンポーネントキャリアとセルとの関係の配置ユニットはプライマリコンポーネントキャリアがRRCの接続する状態下でのサービスセル或はメインサービスセルと関連するように配置することに用いられる。プライマリコンポーネントキャリアとUEとの関係の配置ユニットはプライマリコンポーネントキャリアと現行UEと対応するように配置することに用いられ、現行UEに対応するプライマリコンポーネントキャリアが他のUEに対し、プライマリコンポーネントキャリア或は非プライマリコンポーネントキャリアに配置される。
【０１０７】
ここで、このシステムはプライマリコンポーネントキャリアとチャンネルと関係する配置ユニット、非プライマリコンポーネントキャリアとチャンネルとの関係の配置ユニットが更に含まれる。その中に、プライマリコンポーネントキャリアとチャンネルと関係する配置ユニットはプライマリコンポーネントキャリアが下位互換性コンポーネントキャリア或は非下位互換性コンポーネントキャリアとすると、PDCCHを配置する必要があることに用いられ、非プライマリコンポーネントキャリアとチャンネルとの関係の配置ユニットは非プライマリコンポーネントキャリアが下位互換性コンポーネントキャリア或は非下位互換性コンポーネントキャリア或は拡張コンポーネントキャリアとすると、PDCCHを配置する或はPDCCHを配置しないことに用いられる。
【０１０８】
ここでは、以上係わる無線リソース制御接続状態がRRC_CONNECTEDで表示でき、持続時間タイマーがonDurationTimerで表示でき、DRX非活動時間タイマーがdrx-InactivityTimerで表示でき、DRX再送タイマーがdrx-RetransmissionTimerで表示でき、長DRXサイクルがlongDRX-Cycleで表示でき、DRX起動オフセットがdrxStartOffsetで表示でき、DRX短サイクルタイマーがdrxShortCycleTimerで表示でき、短DRXサイクルがshortDRX-Cycleで表示でき、HARQ往復時間タイマーがHARQ RTT timerで表示でき、PDCCHサブフレームがPDCCH-subframeで表示でき、活動時間がActive Timeで表示でき、メディアアクセス制御競合解決タイマーがmac-ContentionResolutionTimerで表示でき、DRXサイクルがDRX Cycleで表示でき、持続時間がOn Durationで表示でき、活動がactiveで表示でき、非活動がinactiveで表示でき、軟バッファがsoft bufferで表示でき、測量間隙がMeasurement gapで表示でき、ダウンリンク分配がDL assignmentで表示でき、新しい伝送がnew transmissionで表示でき、コンポーネントキャリアがComponent Carrierで表示でき、サービスセルがServing cellで表示でき、メインサービスセルがPrimary serving cellで表示でき、独立な存在がstandaloneで表示でき、プライマリ搬送波がAnchor carrierで表示でき、非プライマリコンポーネントキャリアがnon anchor carrierで表示でき、休眠がDormantで表示でき、HARQフィードバックがHARQ feedbackで表示できる。
【０１０９】
以上内容は単に本発明の好適な実施例だけで、本発明の保護範囲を限定するわけではない。
【図１】
2013506357.tif 000003
【図２】
2013506357.tif 000004
【図３】
2013506357.tif 000005
【図４】
2013506357.tif 000006
【図５】
2013506357.tif 000007
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
間欠受信方法であって、複数のコンポーネントキャリアに間欠受信（DRX）を配置し、1つ或は複数のコンポーネントキャリアをプライマリコンポーネントキャリアとし、前記プライマリコンポーネントキャリアによって、他の非プライマリコンポーネントキャリアのDRXを決定することが含まれることを特徴とする。
【請求項２】
前記プライマリコンポーネントキャリアはDRX状態を含み、記非プライマリコンポーネントキャリアはDRX状態と休眠状態を含み、
前記休眠状態は、コンポーネントキャリアの閉状態或は非アクティブな状態であり、開けた或はアクティブした後、休眠状態からDRX状態に入ることができ、休眠状態のコンポーネントキャリアはスケジューリングされることができなく、休眠状態のコンポーネントキャリアはデータの受発信に用いないことを特徴とする請求項1に記載の方法。
【請求項３】
前記プライマリコンポーネントキャリアによって前記非プライマリコンポーネントキャリアのDRXを決定することは、プライマリコンポーネントキャリアが制御シグナリング或は事前設定条件によって、非プライマリコンポーネントキャリアのDRXを決定することを具体的に含み、
前記非プライマリコンポーネントキャリアがプライマリコンポーネントキャリアのDRX配置或はDRX行為によって、現行非プライマリコンポーネントキャリアのDRX配置或はDRX行為を決定することを特徴とする請求項1に記載の方法。
【請求項４】
前記プライマリコンポーネントキャリアが増強基地局（eNB）からの制御シグナリングを非プライマリコンポーネントキャリアに発送することで、非プライマリコンポーネントキャリアDRXの制御を実現し、
前記制御シグナリングはMAC CE又はPDCCHシグナリング又はRRCシグナリングを具体的に含め、短DRXサイクルと長DRXサイクルとの間を互いに遷移する状態が遷移するシーンの下で、
この方法は、前記eNBが前記プライマリコンポーネントキャリアで発送するMAC CEにおいて、前記状態の遷移をトリガーすることを更に含み、プライマリコンポーネントキャリアはeNBが発送したMAC CEによって、現行非プライマリコンポーネントキャリアが短DRXサイクルから長DRXサイクルに遷移するように通知し、或はプライマリコンポーネントキャリアはeNBが発送するMAC CEによって、現行非プライマリコンポーネントキャリアが長DRXサイクルから短DRXサイクルに遷移するように通知し、或は非プライマリコンポーネントキャリアが長DRXサイクルから短DRXサイクルへ遷移し、プライマリコンポーネントキャリアにおけるPDCCHが指示するダウンリンク分配、或はアップリンク許可によって、本コンポーネントキャリアのデータを受信或は発送する時、DRX非活動時間タイマーを起動し、DRX非活動時間タイマーがタイムアウトした後、短DRXサイクルに入ることが具体的に含まれ、
或は、前記eNBが前記非プライマリコンポーネントキャリアで発送するMAC CEにおいて、前記状態が遷移するようにトリガーすることが更に含まれ、eNBは現行非プライマリコンポーネントキャリアで発送するMAC CEにおいて、現行非プライマリコンポーネントキャリアが短DRXサイクルから長DRXサイクルへ遷移するように通知し、或はeNBが現行非プライマリコンポーネントキャリア発送するMAC CEにおいて、現行非プライマリコンポーネントキャリアが長DRXサイクルから短DRXサイクルへ遷移するように通知することが具体的に含まれることを特徴とする請求項3に記載の方法。
【請求項５】
前記プライマリコンポーネントキャリアが短DRXサイクルにある時、前記非プライマリコンポーネントキャリアが短DRXサイクル或は長DRXサイクル或は休眠状態にあり、前記プライマリコンポーネントキャリアが長DRXサイクルにあるとき、前記非プライマリコンポーネントキャリアが長DRXサイクル或は休眠状態にあることを特徴とする請求項3または4に記載の方法。
【請求項６】
この方法は、前記非プライマリコンポーネントキャリアのタイマーを更に配置し、前記配置は、非プライマリコンポーネントキャリアが独立するDRX非活動時間タイマーを更に配置しなく、或は非プライマリコンポーネントキャリアが独立するDRX非活動時間タイマーを配置しなく、或は非プライマリコンポーネントキャリアが独立する持続時間タイマーを更に配置しないことを含み、
その中に、前記非プライマリコンポーネントキャリアが独立するDRX非活動時間タイマーを配置しない場合に、プライマリコンポーネントキャリアにおけるDRX非活動時間タイマーを起動する或は再起動すると、非プライマリコンポーネントキャリアが相応にその活動状態の時間を延長し、プライマリコンポーネントキャリアと一致させ、
前記非プライマリコンポーネントキャリアは独立する持続時間タイマーを配置しない場合に、非プライマリコンポーネントキャリアがプライマリコンポーネントキャリアのPDCCHシグナリング或は持続時間タイマーによって、起動し、DRX活動状態に入り、プライマリコンポーネントキャリアのDRX非活動タイマーがタイムアウトする或は持続時間タイマーがタイムアウトすると、自動的にDRX非活動状態或は休眠状態に入ることを特徴とする請求項１に記載の方法。
【請求項７】
各々非プライマリコンポーネントキャリアのDRX配置は一致又は独立に保ち、各々非プライマリコンポーネントキャリアが持続時間タイマーを配置すると、前記持続時間タイマーの起動が位置するサブフレームは全部プライマリコンポーネントキャリアの持続時間タイマーの起動が位置するサブフレームと位置合わせることを特徴とする請求項１に記載の方法。
【請求項８】
プライマリコンポーネントキャリアのDRX行為はLTEシステムにおけるDRX行為と原則に更に従う必要があり、非プライマリコンポーネントキャリアのDRX行為は部分又は全部LTEシステムにおけるDRX行為と原則を更に従って、且つプライマリコンポーネントキャリアの制御シグナリングを受信し、制御シグナリングによって、相応なDRX行為を実行し、或は非プライマリコンポーネントキャリアはプライマリコンポーネントキャリアのDRX配置と行為によって、一致するDRX行為を実行し、或は非プライマリコンポーネントキャリアはプライマリコンポーネントキャリアのDRX配置と行為によって、事前設定条件に応じて、相応なDRX行為を実行することを特徴とする請求項3に記載の方法。
【請求項９】
プライマリコンポーネントキャリアと非プライマリコンポーネントキャリアの前記DRX状態は活動状態と非活動状態を含み、
ｚことを特徴とする請求項2に記載の方法。
【請求項１０】
プライマリコンポーネントキャリアとチャンネルとの関係を配置することが更に含まれ、前記配置はプライマリコンポーネントキャリアが下位互換性コンポーネントキャリア、或は非下位互換性コンポーネントキャリアとして、物理ダウンリンク制御 チャネル（PDCCH）を配置する必要があることを具体的に含まれ、
前記非プライマリコンポーネントキャリアとチャンネルとの配置関係は非プライマリコンポーネントキャリアが下位互換性コンポーネントキャリア、或は非下位互換性コンポーネントキャリア或は拡張コンポーネントキャリアとして、PDCCHを配置する或はPDCCHを配置しないことが具体的に含まれ、
現行非プライマリコンポーネントキャリアがPDCCHを配置しない時、更にプライマリコンポーネントキャリア、或は他のPDCCHが配置された非プライマリコンポーネントキャリアのPDCCHによって、現行のPDCCHを配置しない非プライマリコンポーネントキャリアのダウンリンクリソース分配或はアップリンク許可を指示することを特徴とする請求項１に記載の方法。
【請求項１１】
前記eNBが前記現行非プライマリコンポーネントキャリアの状態遷移をトリガーするように通知することは現行非プライマリコンポーネントキャリアがプライマリコンポーネントキャリア、或は現行非プライマリコンポーネントキャリアで発送するMAC CEによって短DRXサイクルと長DRXサイクルとの間の相互遷移を実現し、
或は現行非プライマリコンポーネントキャリアが事前設定条件によって短DRXサイクルと長DRXサイクルとの間の相互遷移を行い、この事前設定条件は業務の活動情况、或はプライマリコンポーネントキャリアにおけるDRX短サイクルタイマーがタイムアウトすることが具体的に含まれることを特徴とする請求項4に記載の方法。
【請求項１２】
間欠受信配置システムであって、このシステムは配置ユニット、制御ユニットを含み、その中に、
配置ユニットは複数のコンポーネントキャリアにDRXを配置し、1つ或は複数のコンポーネントキャリアをプライマリコンポーネントキャリアとすることに用いられ、
制御ユニットは前記プライマリコンポーネントキャリアによって、関連する他の非プライマリコンポーネントキャリアのDRXを決定することに用いられる。
【請求項１３】
前記プライマリコンポーネントキャリアと前記非プライマリコンポーネントキャリアがしている状態を制御することに用いられる状態制御ユニットが更に含まれ、
その中に、前記プライマリコンポーネントキャリアがしている状態は具体的にDRX状態を含み、前記非プライマリコンポーネントキャリアがしている状態はDRX状態と休眠状態を具体的に含み、
前記休眠状態はコンポーネントキャリアの閉状態或は非アクティブな状態であり、開にした或るアクティブにした後、休眠状態からDRX状態に入り、休眠状態のコンポーネントキャリアはスケジューリングされることができなく、休眠状態のコンポーネントキャリアはデータの受発信に用いないことを特徴とする請求項12に記載のシステム。
【請求項１４】
プライマリコンポーネントキャリアがRRCの接続する状態下でのサービスセル或はメインサービスセルと関連するように配置することに用いられるプライマリコンポーネントキャリアとセルとの関係の配置ユニットが更に含まれることを特徴とする請求項12に記載のシステム。
【請求項１５】
制御ユニットは前記プライマリコンポーネントキャリアによって、前記非プライマリコンポーネントキャリアのDRXを決定する時、プライマリコンポーネントキャリアが制御シグナリング或は事前設定条件によって、非プライマリコンポーネントキャリアのDRXを決定することに更に用いられることを特徴とする請求項12に記載のシステム。
【国際調査報告】
2013506357.tif 000008
2013506357.tif 000009
2013506357.tif 000010
2013506357.tif 000011